(57)【要約】【課題】ランニングコストの低減を図ることができるクリーニングシステムを提供する。【解決手段】クリーニングローラー１１ａおよび転写ローラー１２ａ、ならびに、クリーニングローラー１１ｂおよび転写ローラー１２ｂが、互いのローラー表面を接触させて互いに平行に並べて配置されている。各クリーニングローラー１１ａ，１１ｂは、ローラー表面がシリコーンゴム製で粘着性を有している。各クリーニングローラー１１ａ，１１ｂは、ワーク１を厚さ方向で挟むよう、それぞれのローラー表面をワーク１の表面または裏面に接触させて、ワーク１を搬送可能に回転するよう構成されている。各転写ローラー１２ａ，１２ｂは、ローラー表面がシリコーンゴム製で、各クリーニングローラー１１ａ，１１ｂのローラー表面より高い粘着性を有し、各クリーニングローラー１１ａ，１１ｂとともに回転可能になっている。【選択図】図１
0003134918.tif 000002
【実用新案登録請求の範囲】
【請求項１】
クリーニングローラーと転写ローラーとを有し、
前記クリーニングローラーはローラー表面がシリコーンゴム製で粘着性を有し、
前記転写ローラーはローラー表面がシリコーンゴム製で前記クリーニングローラーのローラー表面より高い粘着性を有し、前記クリーニングローラーと中心軸を平行にして互いにローラー表面を接触させて共に回転するよう配置されていることを、
特徴とするクリーニングシステム。
【請求項２】
１対のクリーニングローラーと１対の転写ローラーとを有し、
各クリーニングローラーはローラー表面がシリコーンゴム製で粘着性を有し、互いに中心軸を平行にして互いの間にワークを挟んで搬送可能に配置され、
各転写ローラーはローラー表面がシリコーンゴム製で前記クリーニングローラーのローラー表面より高い粘着性を有し、各クリーニングロールと中心軸を平行にして対応する前記クリーニングロールとローラー表面を接触させて共に回転するよう配置されていることを、
特徴とするクリーニングシステム。
【請求項３】
前記クリーニングローラーは、３０乃至４０Ｈｓ  ＪＩＳ  Ａの硬度を有するＨＴＶタイプのシリコーンゴム製でローラー表面が研磨されており、
前記転写ローラーは、２０乃至２５Ｈｓ  ＪＩＳ  Ａの硬度を有するＬＴＶタイプのシリコーンゴム製であることを、
特徴とする請求項１または２記載のクリーニングシステム。
【考案の詳細な説明】
【技術分野】
【０００１】
本考案は、クリーニングローラーと転写ローラーとを用いて塵埃を除去するクリーニングシステムに関する。
【背景技術】
【０００２】
従来、プリント基板やフレキシブルプリント基板、ＰＥＴフィルム、金属箔等の製造工程では、プリント基板等のワーク表面の塵埃を除去するためにゴムローラーを使用したクリーニングシステムが導入されている。この従来のクリーニングシステムとして、ブチルゴム等の合成ゴム系のローラーでワーク表面の塵埃を除去し、その塵埃を同種の粘着力の異なる合成ゴム系のローラーに転写し、転写されたローラーを専用洗浄剤もしくは有機溶剤で洗浄するものがある。しかし、この装置では、合成ゴム系のローラーの組み合わせが難しく、ローラー同士が引き合ってゴムのムシレが起こることがあるという問題がある。また、合成ゴム系のローラーと軟質塩ビ（PVC）系のローラーとを組み合わせたものもあるが、粘着のバランスが好ましくなく、塵埃が取りきれないという問題がある。シリコーンゴム系のローラーで塵埃を除去し、合成ゴム系のローラーに転写させるものもあるが、合成ゴム中にシリコーンゴムのシロキサン成分が含浸して徐々に合成ゴム系のローラーの粘着力が落ちていくという問題がある。また、ブチルゴム等の合成ゴム系を使用すると、シリコーンゴムがブチルゴムのオイルで侵されるという問題もある。シリコーンゴム系のローラー、合成ゴム系のローラー、軟質塩ビ系のローラー、軟質ウレタン系のローラーなどのローラー単体でのクリーニングシステムもあるが、ローラー洗浄や装置のシステム上の問題から作業性に難があるという問題がある。
【０００３】
これらの問題のため、一般的には、シリコーンゴム系のローラーでワーク表面の塵埃を除去し、そのローラー表面の塵埃を粘着テープに転写するクリーニングシステムが多く使用されている（例えば、特許文献１または２参照）。
【０００４】
【特許文献１】特開平１１−２３２６２１号公報
【特許文献２】実公平７−８０６７号公報
【考案の開示】
【考案が解決しようとする課題】
【０００５】
しかしながら、特許文献１または２記載のクリーニングシステムでは、クリーニング性能を維持するために、使用の都度、粘着テープを切り取って廃棄しなければならず、粘着テープのコストが嵩み、ランニングコストが高いという課題があった。
【０００６】
本考案は、このような従来の課題に着目してなされたもので、ランニングコストの低減を図ることができるクリーニングシステムを提供することを目的としている。
【課題を解決するための手段】
【０００７】
上記目的を達成するために、本考案に係るクリーニングシステムは、クリーニングローラーと転写ローラーとを有し、前記クリーニングローラーはローラー表面がシリコーンゴム製で粘着性を有し、前記転写ローラーはローラー表面がシリコーンゴム製で前記クリーニングローラーのローラー表面より高い粘着性を有し、前記クリーニングローラーと中心軸を平行にして互いにローラー表面を接触させて共に回転するよう配置されていることを、特徴とする。
【０００８】
本考案に係るクリーニングシステムは、以下のようにして使用される。まず、クリーニングローラーのローラー表面をワークの表面に接触させ、クリーニングローラーを回転させてワークの表面に沿って転がす。このとき、クリーニングローラーのローラー表面が粘着性を有しているため、ワークの表面の塵埃をクリーニングローラーのローラー表面に付着させることができる。転写ローラーのローラー表面がクリーニングローラーのローラー表面より高い粘着性を有し、転写ローラーが互いのローラー表面を接触させてクリーニングローラーとともに回転するため、クリーニングローラーのローラー表面に付着した塵埃を、転写ローラーのローラー表面に付着させることができる。こうして、本考案に係るクリーニングシステムは、ワークの表面の塵埃を除去することができる。
【０００９】
転写ローラーは、洗浄剤で洗浄すれば、ローラー表面に付着した塵埃を取り除くことができ、繰り返し使用することができる。洗浄剤にはアルコール系溶剤などの安価な有機溶剤を使用することができ、粘着テープを使用する場合に比べてランニングコストの低減を図ることができる。
【００１０】
クリーニングローラーのローラー表面および転写ローラーのローラー表面はシリコーンゴム製であるため、ゴム同士のムシレや、ローラー間でのシロキサン成分の含浸による粘着力の低下を防止することができる。このため、クリーニングローラーから転写ローラーへの塵埃の転写を効率的に行うことができる。また、シリコーンゴムは耐溶剤性に優れているため、転写ローラーを有機溶剤で洗浄しても劣化せず、転写ローラーを長持ちさせることができる。
【００１１】
本考案に係るクリーニングシステムで、前記クリーニングローラーは、３０乃至４０Ｈｓ  ＪＩＳ  Ａの硬度を有するＨＴＶタイプのシリコーンゴム製でローラー表面が研磨されており、
前記転写ローラーは、２０乃至２５Ｈｓ  ＪＩＳ  Ａの硬度を有するＬＴＶタイプのシリコーンゴム製であることが好ましい。この場合、ワークからの塵埃の除去効果、および、クリーニングローラーから転写ローラーへの塵埃の転写効果が特に高い。
【００１２】
本考案に係るクリーニングシステムは、１対のクリーニングローラーと１対の転写ローラーとを有し、各クリーニングローラーはローラー表面がシリコーンゴム製で粘着性を有し、互いに中心軸を平行にして互いの間にワークを挟んで搬送可能に配置され、各転写ローラーはローラー表面がシリコーンゴム製で前記クリーニングローラーのローラー表面より高い粘着性を有し、各クリーニングローラーと中心軸を平行にして対応する前記クリーニングローラーとローラー表面を接触させて共に回転するよう配置されていることが好ましい。
【００１３】
この場合、クリーニングローラーのローラー表面をワークの表面に接触させて回転させることにより、ワークを搬送しながら、ワークの表面の塵埃を除去することができる。また、粘着テープを使用する場合に比べて、ランニングコストの低減を図ることができる。
【００１４】
１対のクリーニングローラーと１対の転写ローラーとを有する構成では、ワークを搬送しながら、ワークの表面および裏面の塵埃を同時に除去することができる。ワークは、例えば、プリント基板やフレキシブルプリント基板、ＰＥＴフィルム、金属箔等である。
【考案の効果】
【００１５】
本考案によれば、ランニングコストの低減を図ることができるクリーニングシステムを提供することができる。
【考案を実施するための最良の形態】
【００１６】
以下、図面に基づき本考案の実施の形態について説明する。
図１は、本考案の実施の形態のクリーニングシステムを示している。
本考案の実施の形態のクリーニングシステム１０ａ，１０ｂは、厚さが薄いプリント基板やフレキシブルプリント基板、ＰＥＴフィルム、金属箔等のワーク１の表面および裏面の塵埃を除去するのに使用される。
【００１７】
図１に示すように、クリーニングシステム１０ａ，１０ｂは、それぞれクリーニングローラー１１ａ，１１ｂと転写ローラー１２ａ，１２ｂとを有している。クリーニングローラー１１ａおよび転写ローラー１２ａ、ならびに、クリーニングローラー１１ｂおよび転写ローラー１２ｂは、それぞれ互いのローラー表面を接触させて互いに中心軸を平行にして配置されている。各クリーニングローラー１１ａ，１１ｂおよび各転写ローラー１２ａ，１２ｂは、それぞれの中心軸を中心として回転可能になっている。
【００１８】
各クリーニングローラー１１ａ，１１ｂは、３０乃至４０Ｈｓ  ＪＩＳ  Ａの硬度を有するＨＴＶタイプのシリコーンゴム製で、ローラー表面が粘着性を有している。各クリーニングローラー１１ａ，１１ｂは、ローラー表面が研磨されている。図１に示すように、クリーニングローラー１１ａは、ローラー表面がワーク１の表面に接触するよう配置されている。また、クリーニングローラー１１ｂは、クリーニングローラー１１ａとともにワーク１を厚さ方向で挟み、ローラー表面がワーク１の裏面に接触するよう配置されている。各クリーニングローラー１１ａ，１１ｂは、間に挟んだワーク１を搬送可能に回転するよう構成されている。
【００１９】
各転写ローラー１２ａ，１２ｂは、２０乃至２５Ｈｓ  ＪＩＳ  Ａの硬度を有するＬＴＶタイプのシリコーンゴム製で、ローラー表面が各クリーニングローラー１１ａ，１１ｂのローラー表面より高い粘着性を有している。各転写ローラー１２ａ，１２ｂは、ローラー表面を研磨仕上げしたものではなく、型抜きの鏡面ローラーから成っている。各転写ローラー１２ａ，１２ｂは、それぞれ各クリーニングローラー１１ａ，１１ｂとともに回転可能になっている。
【００２０】
次に、作用について説明する。
本考案の実施の形態のクリーニングシステム１０ａ，１０ｂは、以下のようにして使用される。まず、各クリーニングローラー１１ａ，１１ｂの間にワーク１を挟み、各クリーニングロール１１ａ，１１ｂのローラー表面をそれぞれワーク１の表面および裏面に接触させた状態で、各クリーニングローラー１１ａ，１１ｂを回転させてワーク１を搬送する。このとき、各クリーニングローラー１１ａ，１１ｂのローラー表面が粘着性を有しているため、ワーク１の表面および裏面の塵埃を各クリーニングローラー１１ａ，１１ｂのローラー表面に付着させることができる。各転写ローラー１２ａ，１２ｂのローラー表面が各クリーニングローラー１１ａ，１１ｂのローラー表面より高い粘着性を有し、各転写ローラー１２ａ，１２ｂが互いのローラー表面を接触させて各クリーニングローラー１１ａ，１１ｂとともに回転するため、各クリーニングローラー１１ａ，１１ｂのローラー表面に付着した塵埃を、各転写ローラー１２ａ，１２ｂのローラー表面に付着させることができる。こうして、クリーニングシステム１０ａ，１０ｂは、ワーク１を搬送しながら、ワーク１の表面および裏面の塵埃を同時に除去することができる。
【００２１】
各転写ローラー１２ａ，１２ｂをアルコール系の洗浄剤で洗浄することにより、各転写ローラー１２ａ，１２ｂのローラー表面に付着した塵埃を取り除くことができ、各転写ローラー１２ａ，１２ｂを繰り返し使用することができる。アルコール系の安価な洗浄剤を使用するため、粘着テープを使用する場合に比べて、ランニングコストの低減を図ることができる。
【００２２】
各クリーニングローラー１１ａ，１１ｂおよび各転写ローラー１２ａ，１２ｂがシリコーンゴム製であるため、ゴム同士のムシレや、ローラー間でのシロキサン成分の含浸による粘着力の低下を防止することができる。このため、各クリーニングローラー１１ａ，１１ｂから各転写ローラー１２ａ，１２ｂへの塵埃の転写を、スムーズに行うことができる。また、シリコーンゴムは耐溶剤性に優れているため、各転写ローラー１２ａ，１２ｂをアルコール系の洗浄剤で洗浄しても劣化せず、各転写ローラー１２ａ，１２ｂを長持ちさせることができる。本考案の実施の形態のクリーニングシステムは、各クリーニングローラー１１ａ，１１ｂおよび各転写ローラー１２ａ，１２ｂが物理的に破損または偏摩耗するまで、継続的に使用することができる。
【図面の簡単な説明】
【００２３】
【図１】本考案の実施の形態のクリーニングシステムを示す側面図である。
【符号の説明】
【００２４】
１    ワーク
１０ａ，１０ｂ  クリーニングシステム
１１ａ，１１ｂ  クリーニングローラー
１２ａ，１２ｂ  転写ローラー
【図１】
0003134918.tif 000003